(57)【要約】【課題】日本的な生活習慣で形成されることの多いＯ脚・内股は、見た目の悪さだけではなく、痛み・疲れ・こりや冷えなどの弊害を生ずることがある。またサロン等で提供される器具や手技は、価格面や利便性を考えると必ずしも日常的に使いやすいものではない場合が多い。このような状況に対して、手軽で使いやすく、低コストで入手できるＯ脚・内股改善クッションを提供する。【解決手段】本品を太ももの間にはさみ、お尻で締めることを意識して、後方を反復的して圧縮することで、Ｏ脚・内股の改善を目指すクッションである。これにより骨盤・関節・靭帯・筋肉を柔軟で強靭、かつ正しいバランスに持っていき、美脚・美尻・健康を実現する効果が期待できる。さらに小型軽量、低コストであり、所有のハードルが低く、家族・知人間で共用も可能である。ハート型の形状をとることで、いやし効果も期待できる。【選択図】図２
2020005877.tif 000002
【特許請求の範囲】
【請求項１】
人の太ももの間に挟み込み（図２）両脚同時または片脚ずつ、かかと（７）から太もも（６）を一体にして後方へねじりながら股間をせばめ、本品を押しつぶすような動きを反復することで、関節と筋肉および靭帯の位置・柔軟性・強度の正しい状態を習慣的に保ち、股関節の角度矯正、Ｏ脚および内股矯正、骨盤前傾および後傾矯正、関節の正しい配置による膝痛や腰痛の緩和、さらに他の多くの身体部位で姿勢改善と血行改善を実現し、美脚・美尻・美姿勢・健康を増進するクッション状の器具。
【請求項２】
内部が空洞（図３）、またはフォーム状で、柔軟、高反発かつ復元力の高い素材による、主に一体型成型で、はさみ込む運動に対して適度な負荷を与えるとともに、均一の材質で単純な構造であることから、長期間繰り返される反復的伸縮にも耐えうる器具。
【請求項３】
太ももの間に挟み込みやすく、ずり落ちにくい形状と大きさ（図１）をしていて、全部と後部の間がくぼんでおり（図１の上から見た図）、太ももをはさみ込みやすい構造となっている。くぼみ後部の面（５）を太ももではさみ込むように押すことで、反発力を利用した反復運動を行うが、滑り止めテープの貼付、またはすべりにくい材質そのものを使用することで、ずれたり落ちたりすることを防止する仕組みも備える器具。
【請求項４】
形状としては、はさみ込むことができ、柔軟であれば、効果は期待できるが、形状の一形態として、ハート型にすることで、インテリア性にすぐれ、感情的な安らぎ、幸福感を醸成する可能性も期待できる形状の多様性を備える（１）。
【請求項５】
本発明は、美脚・美尻など、美容を主な目的として発案されたものであるが、副次効果として、骨盤底筋や仙腸筋などのインナーマッスル、大殿筋や中殿筋などの歩行に重要な機能を果たす筋肉、さらには内転筋などの、姿勢に重要な筋肉を柔軟かつ強靭にすることが期待できる。つまり、筋肉や関節の強靭性・柔軟性を向上させることで、ぎっくり腰や腰痛・ひざ痛などのリスク軽減と、身体全般における運動能力低下による介護リスクの低減も期待できる。
【請求項６】
本製品は、年齢や性別を問わず利用できることを目指しているため、個人差の激しい股間の幅については、本製品の厚みを調整することでよりフィットすることが望ましい。よって内部に空気を入れふくらませるタイプの製品（図３）については、空気の入れ具合によって厚みがある程度調整できる機能を有している（8）。
【発明の詳細な説明】
【技術分野】
【０００１】
本発明は、反発力を利用した運動を反復して行うことで、人体の骨格と関節の位置にバランス・筋肉の柔軟性と強靭さ・靭帯の拘縮の解消等を目指し、脚の形や姿勢の改善はもとより、血行促進・姿勢改善・痛みの緩和・健康促進・老化防止などを提供するのに好適なクッション状運動用器具に関する。
【背景技術】
【０００２】
Ｏ脚矯正や改善といった効果をうたいながら、実際には内転筋（太ももの内側の筋肉）だけを強くすることでＯ脚が改善するなどと、間違った認識と人体に関する知識に基づくものが多い中、本品は大腿骨と骨盤のバランスや角度、膝頭の向きなどに着目し、正しく大きな効果を提供できる。すなわち、大腿骨が正しい角度で股関節に接合していることが、正しく整った状態であり、正しく整った状態が美と健康を同時に実現できるとしている点である。
【０００３】
Ｏ脚・内股の状態は、ほとんどの場合両脚の膝頭が内側を向いていて、つま先がかかとよりも内側に向いている。これは多くの場合、正座や床・畳に直接座ることの多い生活習慣によって作り出された一種の癖であり、この生活習慣を取り除くと同時に、関節の収まり具合を矯正してやる必要がある。この器具を用いれば、無理のない範囲で反復的な運動を行うことで、縮んだ靭帯を伸ばし、ゆるんだ骨盤底筋を引き締め、骨盤・大腿骨・腓骨・仙骨を正しい角度に整えることができる。その結果として、膝頭とつま先に内向きを矯正し、ひいてはO脚・内股を改善できる。
【０００４】
美脚や整体をうたったサロンや治療所等では、手技でこの大腿骨の収まりを矯正するところもあり、実際一時的に効果は出るのだが、生活習慣で悪い癖のついている関節の収まりは、サロン等で短時間で容易に矯正することは難しく、むしろ時間をかけた反復運動の方が効果的である。日本では非常に少数であるが、この反復運動を補助する器具が、サロンや院等で導入されており、確実に効果を上げている。本発明は、その原理と効果を同等にしながら、使いやすい大きさ、ひいては手に入れやすい価格で提供することで、低コストで恒常的なＯ脚・内股の改善を行える器具である。
【０００５】
通常の健康器具やエクササイズマシンは、多くの場合サイズが大きく、部屋の多くの部分を専有する。メーカーの工夫によってコンパクトなサイズまたは折りたたみ等の利便性を付加することによって、収納性を強調するものもあるが、本発明のひとつの形態である、ビンクのハート型タイプの場合、常時目に触れるところに置いておき、色・形でのいやし効果を提供する。ハート型は、古今東西で膨大な数のグッズ等が生産されており、特に女性の圧倒的な支持を受ける形状であることは、議論の余地がない。本発明は、Ｏ脚・内股の改善という、単に機能的な効果だけを顧客に届けるのではなく、生活全般において、いやす効果や、ほっとする瞬間、ひいては幸福感まで提供するきっかけにしたいと願うものである。よって、反発力や材質にとどまらず、ハート型の形状を提供する場合もある。
【先行技術文献】
【特許文献】
【０００６】
【特許文献１】特開２００８−６８０５７
【特許文献２】実用新案第３０５８９１２号
【非特許文献】
【０００７】
【非特許文献１】スタイレックスＱ製品情報（http://www.aison.jp/product_st.html）
【発明の概要】
【発明が解決しようとする課題】
【０００８】
非特許文献1にある器具は、大腿骨の股関節に対する角度に注目し、反発力を利用した反復運動をすることで、時間をかけてＯ脚と内股の改善を目指す点で優れた機能を有するが、使用法を正しく伝えられない場合が多い点と、サロン等に設置する高価な機械である点で、多くの人に届けられるものではない。が、本発明の場合、小型軽量でコストも低く、一般家庭に普及させることのできる価格帯となり、使用法も極めて分かりやすいので、効果に誤差が出ない。
【０００９】
Ｏ脚・内股を改善する目的で作られた器具は、市場にほとんどないのが実情である。内転筋のみを鍛えることでＯ脚を矯正することができるとうたった製品や、特許文献等の中にも、両脚を縛りつけて固定することでＯ脚が矯正できるなどと述べていたり、間違った脚の角度を推奨したりするものまである（特許文献２）。危険で低級なアイデアが多い中、本発明は正しい根拠に基づき、実績のある改善プロセスを使用している点で、非常に有望な器具である。
【００１０】
Ｏ脚や内股を改善したいと望む人は多く存在し、Ｏ脚改善や美脚をうたったサロン、整体・接骨院等を訪れる人も多数いるが、生活習慣で長い時間をかけて身についた、いわば癖とも言えるＯ脚・内股については、即効性のある改善法というのは、ほぼ存在しない。むしろ時間をかけて身についた生活習慣について、時間をかけて矯正・改善することが望ましいのは言うまでもない。施術により、一時的に改善したかに見える効果よりも、インナーマッスルといった、体の内部から改善するという方法の方が、徐々にではあるが確実に効果が出て、しかもその効果が長続きするという面において、優れたアプローチであると言える。
【００１１】
高価なＯ脚改善器具や、施術により一時的にせよ効果の出るＯ脚改善でも、所詮は本人しかその恩恵をこうむることができない。しかしながら本発明品を入手した場合、家庭内または友人とも共用することができ、より多くの人がＯ脚・内股の改善効果を享受できる点で、とても経済的である。
【００１２】
Ｏ脚や内股がもたらす弊害は、見た目の悪さだけではなく、骨盤の角度がわずかでもずれることで血行不良・腰痛・ぽっこりお腹・垂れ尻などを引き起こす。さらに大腿骨が内側にねじれることで、大腿骨の上端にある突起である大転子が外側に張り出し、お尻や腰が横に張って大きく見える。またＯ脚は膝関節の内側への負担が特に大きく、人工膝関節を入れざるを得ない原因の主たるものとなっている。人工膝関節まで至らなくても、膝痛を訴える人々は何千万人にものぼり、その原因の主たるものとして、Ｏ脚による膝の内側への体重による負担が挙げられる。これら非常に多くの深刻な弊害を引き起こすＯ脚・内股であるが、それらを手軽に低コストで徐々にしかも確実に改善する本発明は、特に生活習慣でＯ脚・内股を併発しやすい日本人にとって、非常に有益なものである。
【００１３】
本製品の使用法は極めて簡単で、太ももの間に挟んだ本製品を、主にお尻部分を引き締めるような意識をもって圧縮するという、いわばこれだけの運動であるが、その効果は大きくまた継続的である。しかもその運動はインナーマッスルである骨盤底筋群と仙腸筋を鍛えることにもなり、体幹を丈夫にすることで姿勢を良くし、疲れにくい体の芯を作ることにもなる。さらに、お尻の筋肉である大殿筋と中殿筋まで鍛えられることで、歩けなくなるという最大の介護リスクさえ軽減することができる。
【課題を解決するための手段】
【００１４】
本発明に係るクッションは、上から見た図でも明らかなように、中央部がくぼんだ構造になっている（４）。このくぼみにまたがるようにして太ももの間にはさみこみ、後方へお尻ではさみこむような意識で本クッションを圧迫する運動を行うのに最適な形状と柔軟性と反発力を兼ね備えている構造である。
【発明の効果】
【００１５】
期待できる効果として第一に美脚が挙げられる。欧米人に比べＯ脚の多い日本人は姿勢も悪く猫背で、女性の場合胸が小さく見えるし、下腹が出て尻も垂れている。昨今では身長や体のサイズなどで欧米人に引けを取らない男女が増えてきたとは言え、姿勢ではまだまだ貧相な女性が多い。本発明品を使用することで、Ｏ脚・内股を改善した美脚を実現、さらに骨盤底筋群や仙腸筋といった体幹を構成するインナーマッスルを丈夫にすることで、正しく持続性の高い姿勢を保つことで、美しい立ち居振る舞いを実現できる。
【００１６】
脚の形や立ち居振る舞いなどの見た目だけではなく、血行や関節・筋肉等のバランスが改善され、冷え症・膝痛・腰痛・性交痛・生理痛などの改善効果が期待できる。
【図面の簡単な説明】
【００１７】
【図１】本発明に係るクッションの側面・正面・上面図である。
【図２】空気を入れる製品の場合、中が空洞となっている（９）。この空洞に空気穴（8）から空気を入れることで、本体の厚みを調整できる。
【図３】本発明に係るクッションの使用法を端的に表した図である。図２中の前から見た図の場合、両ももの間にはさんだ本製品に対して、後ろ向きに両ももを回して、本製品の後部を圧迫するように力を入れ、反復運動を行う（6）。
【発明を実施するための形態】
【００１８】
図２に、本発明品の使用法を示す。本発明品を太ももの間、できるだけ上部へ寄せる形ではさみ込み、お尻を締めるような力の入れ方を意識して（図2の6）、反復的にクッションを圧縮することで、筋肉・靭帯・関節の収まりを柔軟かつ強靭にし、Ｏ脚・内股の改善を目指す。
【産業上の利用可能性】
【００１９】
女性を含む、立ち仕事に従事する人口は膨大であるが、Ｏ脚・内股の場合、脚の疲れ・腰痛・膝痛のリスクが高い。そんな場合、職場に本品があれば、空いた時間を使ってエクササイズを行うことで、疲れやすく、足の余分な部分にかかる力のせいで外反母趾等の弊害が出る立ち方・歩き方を改善し、業務についてもより快適に遂行することが期待できる。ひいては効率の向上や離職率の低減につながる。
【符号の説明】
【００２０】
1  側面くぼみ部分、ここを両側から太ももではさみこむ
2  上面くぼみ部分、できるだけ上の方へはさみ込めるよう、この部分にもくぼみをもたせ、特に後部はお尻自体で挟み込めるくらいの位置まで上げられるよう工夫している
3  本発明はハート型の部分を正面にして見た場合、左右対称になるよう作ってある。3は正面または背面を表しているが、この部分が足の間から前後に出ている形が装着の基本となる。
4  上から見たときにこの部分は、乗馬で言えば鞍のような部分にあたる。この部分にまたがるような気持ちで本発明品をはさみこむのが正しい使い方である。
5  この部分を太もも後部や臀部で両側からはさみこむように締めつける。
6  太ももの付け根部分であり、本発明をはさみこむ部分、力を入れる部分を兼ねて示している。
7  6の部分で太ももを後方へねじるような動作をすると同時に、かかと中心にして足首を同方向へ回転させる動きをすることで、よりスムースな運動が可能となる。または足指の付け根部分を中心にしてかかとを回すやり方も可能。
8  中が空洞タイプの場合、一般的なボール等と同タイプのバルブを装着し、中の空洞に空気を送り込むことによって本製品を厚みを調整する機能を有する。
9  中が空洞になっているタイプについては、この部分が空洞で、個人差のある太ももの間にはさみ込む際に厚みを調整できる。
【図１】
2020005877.tif 000003
【図２】
2020005877.tif 000004
【図３】
2020005877.tif 000005